【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
オーディオ・ソース信号のためのロスレス符号化されたデータ・ストリームを共に形成するロッシー符号化されたデータ・ストリームおよびロスレス拡張データ・ストリームを使用する、オーディオ・ソース信号をロスレス符号化する方法において、
前記ソース信号をロッシー符号化するステップであって、前記ロッシー符号化されたデータ・ストリームと共にスペクトラル・ホワイトニング・データを生成する前記ステップと、
前記ロッシー符号化に対応して、前記ロッシー符号化されたデータをロッシー復号するステップであって、これにより、標準復号された信号を再構築し、前記スペクトラル・ホワイトニング・データを使用して、前記標準復号された信号から高品質の復号された信号を構築する前記ステップと、
前記ソース信号と前記高品質の復号された信号との間の差信号を形成し、前記差信号をロスレス符号化するステップと、
前記符号化された差信号を前記スペクトラル・ホワイトニング・データと共にパックし、前記ロスレス拡張データ・ストリームを形成するステップと、を含み、
前記スペクトラル・ホワイトニング・データは、
分析フィルタ・バンクで前記ソース信号を処理し、当該分析フィルタ・バンクの出力信号を量子化し、前記分析フィルタ・バンクの出力信号と量子化出力信号との間の差信号を形成するステップであって、前記量子化は知覚モデル計算機によって制御される前記ステップと、
前記差信号を量子化することによって、当該更なる量子化を制御するステップであって、前記更なる量子化の入力と出力との間の差信号がホワイトニング・スペクトラムに近づくようにし、これにより前記更なる量子化の出力信号が前記スペクトラル・ホワイトニング・データを形成する前記ステップと、
により生成され、
前記更なる量子化は、前記スペクトラル・ホワイトニング・データの現在のビット・レートをチェックするアダプテーション・コントローラによって制御され、前記現在のビット・レートが所定の閾値を超えている場合には、エスケープ信号を設定し、
前記エスケープ信号が設定されている場合にのみ、前記差信号の前記ロスレス符号化がエントロピー符号器を使用し、該エントロピー符号器の入力信号がＬＰＣデコリレータを通過する、前記方法。
【請求項２】
前記スペクトラル・ホワイトニング・データは、エントロピー符号化されている、請求項１に記載の方法。
【請求項３】
ロスレス符号化されたオーディオ・ソース信号のデータ・ストリームを復号する方法であって、前記データ・ストリームは、前記ソース信号のためのロスレス符号化されたデータ・ストリームを共に形成するロッシー符号化されたデータ・ストリームおよびロスレス拡張データ・ストリームから生成されたものであり、
前記ソース信号はロッシー符号化されており、該ロッシー符号化は前記ロッシー符号化されたデータ・ストリームと共にスペクトラル・ホワイトニング・データを生成し、
前記ロッシー符号化されたデータは前記ロッシー符号化に対応してロッシー復号され、これにより、標準復号された信号が再構築されており、かつ、前記スペクトラル・ホワイトニング・データを使用して、高品質の復号された信号が前記標準復号された信号から構築されており、
前記ソース信号と前記高品質の復号された信号との間の差信号が形成されてロスレス符号化されており、
前記ロスレス符号化された差信号が前記スペクトラル・ホワイトニング・データと共にパックされて前記ロスレス拡張データ・ストリームが形成されており、
前記スペクトラル・ホワイトニング・データは、
分析フィルタ・バンクで前記ソース信号を処理し、当該分析フィルタ・バンクの出力信号を量子化し、前記分析フィルタ・バンクの出力信号と量子化出力信号との間の差信号を形成するステップであって、前記量子化は知覚モデル計算機によって制御されたものである前記ステップと、
前記差信号を量子化することによって、当該更なる量子化を制御するステップであって、前記更なる量子化の入力と出力との間の差信号がホワイトニング・スペクトラムに近づくようにし、これにより前記更なる量子化の出力信号が前記スペクトラル・ホワイトニング・データを形成する前記ステップと、
により生成されたものであり、
前記更なる量子化は、前記スペクトラル・ホワイトニング・データの現在のビット・レートをチェックするアダプテーション・コントローラによって制御され、前記現在のビット・レートが所定の閾値を超えている場合には、エスケープ信号を設定し、
前記復号する方法は、
前記差信号および前記スペクトラル・ホワイトニング・データを生成するために、前記ロスレス拡張データ・ストリームをデパックし、前記ロスレス符号化された差信号を復号するステップであって、前記エスケープ信号が符号化側で設定されたものである場合にのみ、前記ロスレス符号化された差信号の前記復号がエントロピー復号器を使用し、該エントロピー復号器の出力信号がＬＰＣ合成を通過する前記ステップと、
前記ロッシー符号化されたデータ・ストリームをロッシー復号することにより、前記標準復号された信号を再構築し、前記スペクトラル・ホワイトニング・データを使用して、前記標準復号された信号から前記高品質の符号化された信号を再構築するステップと、
前記復号されたロスレス符号化された差信号から、さらに、前記高品質の復号された信号から、再構築されたソース信号を形成するステップと、を含む前記方法。
【請求項４】
前記スペクトラル・ホワイトニング・データは、符号化部でエントロピー符号化され、かつ、復号部でエントロピー復号されたものである、請求項３に記載の方法。
【請求項５】
前記ＬＰＣデコリレータおよび前記ＬＰＣ合成はＬＰＣフィルタであり、該ＬＰＣフィルタのフィルタ係数は、スケール・ファクタおよび／または前記ロッシー・ビット・ストリームの前記サブバンド・ドメイン内の関連する係数ブロックの前記スペクトラム、および／または、ヘルパー情報項目などの情報項目を使用して定められる、請求項１〜４のいずれか１項に記載の方法。
【請求項６】
前記ロスレス拡張データ・ストリームは、
符号化されたスペクトラル・ホワイトニング・データと、
ＬＰＣデコリレーションがアクティブであることを示すエスケープ信号と、
ヘルパー情報信号と、
ファイル間アプリケーション用の、ロッシー符号器の遅延値および／またはオリジナル・ファイル長の値と、を含む、請求項１〜５のいずれか１項に記載の方法。
【請求項７】
オーディオ・ソース信号のためのロスレス符号化されたデータ・ストリームを共に形成するロッシー符号化されたデータ・ストリームおよびロスレス拡張データ・ストリームを使用する、オーディオ・ソース信号をロスレス符号化する装置において、前記装置は、
前記ソース信号をロッシー符号化するように構成された手段であって、前記ロッシー符号化により、前記ロッシー符号化されたデータ・ストリームと共にスペクトラル・ホワイトニング・データを生成する前記手段と、
前記ロッシー符号化に対応して、前記ロッシー符号化されたデータをロッシー復号することにより、標準復号された信号を再構築し、前記スペクトラル・ホワイトニング・データを使用して、前記標準復号された信号から高品質の復号された信号を構築するように構成された手段と、
前記ソース信号と前記高品質の復号された信号との間の差信号を形成し、前記差信号をロスレス符号化し、前記符号化された差信号を前記スペクトラル・ホワイトニング・データと共にパックして前記ロスレス拡張データ・ストリームを形成するように構成された手段と、を含み、
前記ロッシー符号化するように構成された手段は、
分析フィルタ・バンクで前記ソース信号を処理し、当該分析フィルタ・バンクの出力信号を量子化し、前記分析フィルタ・バンクの出力信号と量子化出力信号との間の差信号を形成するように構成された手段であって、前記量子化は知覚モデル計算機によって制御される前記手段と、
前記差信号を量子化することによって、当該更なる量子化を制御するように構成された手段であって、前記更なる量子化の入力と出力との間の差信号がホワイトニング・スペクトラムに近づくようにし、これにより前記更なる量子化の出力信号が前記スペクトラル・ホワイトニング・データを形成する前記手段と、を含み、
前記更なる量子化は、前記スペクトラル・ホワイトニング・データの現在のビット・レートをチェックするアダプテーション・コントローラによって制御され、前記現在のビット・レートが所定の閾値を超えている場合には、エスケープ信号を設定し、
前記差信号を形成するように構成された手段において、前記エスケープ信号が設定されている場合にのみ、前記差信号の前記ロスレス符号化がエントロピー符号器を使用し、該エントロピー符号器の入力信号がＬＰＣデコリレータを通過する、前記装置。
【請求項８】
前記スペクトラル・ホワイトニング・データは、符号化部でエントロピー符号化されている、請求項７に記載の装置。
【請求項９】
ロスレス符号化されたオーディオ・ソース信号のデータ・ストリームを復号する装置であって、前記データ・ストリームは、前記ソース信号のためのロスレス符号化されたデータ・ストリームを共に形成するロッシー符号化されたデータ・ストリームおよびロスレス拡張データ・ストリームから生成されたものであり、
前記ソース信号はロッシー符号化されており、該ロッシー符号化は前記ロッシー符号化されたデータ・ストリームと共にスペクトラル・ホワイトニング・データを生成し、
前記ロッシー符号化されたデータは前記ロッシー符号化に対応してロッシー復号され、これにより、標準復号された信号が再構築されており、かつ、前記スペクトラル・ホワイトニング・データを使用して、高品質の復号された信号が前記標準復号された信号から構築されており、
前記ソース信号と前記高品質の復号された信号との間の差信号が形成されてロスレス符号化されており、
前記ロスレス符号化された差信号が前記スペクトラル・ホワイトニング・データと共にパックされて前記ロスレス拡張データ・ストリームが形成されており、
前記スペクトラル・ホワイトニング・データは、
分析フィルタ・バンクで前記ソース信号を処理し、当該分析フィルタ・バンクの出力信号を量子化し、前記分析フィルタ・バンクの出力信号と量子化出力信号との間の差信号を形成するステップであって、前記量子化は知覚モデル計算機によって制御されたものである前記ステップと、
前記差信号を量子化することによって、当該更なる量子化を制御するステップであって、前記更なる量子化の入力と出力との間の差信号がホワイトニング・スペクトラムに近づくようにし、これにより前記更なる量子化の出力信号が前記スペクトラル・ホワイトニング・データを形成する前記ステップと、
により生成されたものであり、
前記更なる量子化は、前記スペクトラル・ホワイトニング・データの現在のビット・レートをチェックするアダプテーション・コントローラによって制御され、前記現在のビット・レートが所定の閾値を超えている場合には、エスケープ信号を設定し、
前記復号する装置は、
前記差信号および前記スペクトラル・ホワイトニング・データを生成するために、前記ロスレス拡張データ・ストリームをデパックし、前記ロスレス符号化された差信号を復号するように構成された手段であって、前記エスケープ信号が符号化側で設定されたものである場合にのみ、前記ロスレス符号化された差信号の前記復号がエントロピー復号器を使用し、該エントロピー復号器の出力信号がＬＰＣ合成を通過する前記手段と、
前記ロッシー符号化されたデータ・ストリームをロッシー復号することにより、前記標準復号された信号を再構築し、前記スペクトラル・ホワイトニング・データを使用して、前記標準復号された信号から前記高品質の符号化された信号を再構築するように構成された手段と、
前記復号されたロスレス符号化された差信号から、さらに、前記高品質の復号された信号から、再構築されたソース信号を形成するように構成された手段と、を含む前記装置。
【請求項１０】
前記スペクトラル・ホワイトニング・データは、符号化部でエントロピー符号化され、かつ、復号部でエントロピー復号されたものである、請求項９に記載の装置。
【請求項１１】
前記ＬＰＣデコリレータおよび前記ＬＰＣ合成はＬＰＣフィルタであり、該ＬＰＣフィルタのフィルタ係数は、スケール・ファクタおよび／または前記ロッシー・ビット・ストリームの前記サブバンド・ドメイン内の関連する係数ブロックの前記スペクトラム、および／または、ヘルパー情報項目などの情報項目を使用して定められる、請求項７〜１０のいずれか１項に記載の装置。
【請求項１２】
前記ロスレス拡張データ・ストリームは、
符号化されたスペクトラル・ホワイトニング・データと、
ＬＰＣデコリレーションがアクティブであることを示すエスケープ信号と、
ヘルパー情報信号と、
ファイル間アプリケーション用の、ロッシー符号器の遅延値および／またはオリジナル・ファイル長の値と、を含む、請求項７〜１１のいずれか１項に記載の装置。
【請求項１３】
エントロピー符号化された差信号データと、
符号化されたスペクトラル・ホワイトニング・データと、
ＬＰＣデコリレーションがアクティブであることを示すエスケープ信号と、
ヘルパー情報信号と、
ファイル間アプリケーション用の、ロッシー符号器の遅延値および／またはオリジナル・ファイル長の値と、を含み、
これらのデータ項目および信号が、請求項３に記載された方法の実行を容易にする、ロスレス拡張ビット・ストリーム。
【請求項１４】
ｍｐ３データなどのロッシー符号化された信号データ、および、請求項１３において定義されたデータ項目、信号およびオプションの値を含む、ロスレス符号化されたビット・ストリーム。
【請求項１５】
請求項１，２，５，および６のいずれか１項に記載の方法に従って符号化されたディジタル・ビデオ信号が含まれた、記憶された、または記録された記憶媒体。
【請求項１６】
請求項１３または１４に記載されたビット・ストリームが含まれた、記憶された、または記録された記憶媒体。